(57)【要約】【課題】使用者が、メンテナンス能力が低く、当該装置に対する専門知識を有していない者であっても、自分の能力に応じた方式での調整指示を行い、連動する複数のパラメータを調整できる電気機器を提供する。【解決手段】一の機能に複数のパラメータが設定されている電気機器において、前記複数のパラメータに対して夫々異なる方式での調整指示を受け付ける複数の受付画面を表示し、使用者が何れかの受付画面を介して該複数のパラメータの調整指示を行なう。【選択図】図５
2013186571.tif 000002
【特許請求の範囲】
【請求項１】
一の機能に複数のパラメータが設定されている電気機器において、
前記複数のパラメータに対して夫々異なる方式での調整指示を受け付ける複数の受付画面を表示する表示部を備えることを特徴とする電気機器。
【請求項２】
前記複数の受付画面は、
前記複数のパラメータをパラメータ毎に調整する調整指示を受け付ける個別受付画面と、
前記複数のパラメータをまとめて調整するまとめ調整指示を受け付けるまとめ受付画面と
を含むことを特徴とする請求項１に記載の電気機器。
【請求項３】
前記複数のパラメータの値の組み合せを、前記まとめ調整指示に対応付けて記憶する記憶部を備え、
前記まとめ調整指示が受け付けられた場合、
前記記憶部に記憶されている値の組み合せに基づき、前記複数のパラメータを調整するように構成されていることを特徴とする請求項２に記載の電気機器。
【請求項４】
使用者識別データを受け付ける受付手段を備え、
前記表示部は、該受付手段が受け付けた使用者識別データに基づき、何れかの受付画面を表示するように構成されていることを特徴とする請求項１から３の何れかに記載の電気機器。
【発明の詳細な説明】
【技術分野】
【０００１】
本発明は、一の機能に複数のパラメータが設定されている電気機器における、パラメータの調整指示の受け付けに関する。
【背景技術】
【０００２】
近年、公共施設又はコンビニエンスストア等には、プリンタ、複合機等の装置が設置されており、ユーザは、所定の料金を支払って、前記装置を使用することが出来る。
【０００３】
しかし、トラブルの発生、所定機能の性能調整等の場合、サービスマンが現場まで駆け付けるには所定の時間が必要であることから、当該装置の管理人（例えば、店主）にも臨時的措置程度の対応が求められている。
【０００４】
例えば、特許文献１においては、用紙の搬送方向と直交する方向の位置ズレを検出し、その位置ズレ量が基準値を超えた場合に位置ズレの補正を行なうことにし、また、その基準値をサービスマンまたはユーザにより任意に変更可能とした画像形成装置が開示されている。
【先行技術文献】
【特許文献】
【０００５】
【特許文献１】特開２００６−６９７３８号公報
【発明の概要】
【発明が解決しようとする課題】
【０００６】
一方、サービスマンと、店主との間には、メンテナンス能力、専門知識等の面において当然大きな差が存在し、同じサービスマンと言えども、その経験差によって、メンテナンス能力にも差が生じ得る。
【０００７】
しかしながら、斯かる装置においては、一つの機能に連動する複数のパラメータが設定されている場合が多く、この際におけるトラブルの解消、所定機能の性能調整等のためには、当該複数のパラメータを共に調整することが必要である。
【０００８】
しかも、このように、連動する複数のパラメータの調整は高度のメンテナンス能力を必要とする場合が多く、メンテナンス能力が低く、当該装置に対する専門知識を有していない者には困難な場合が多い。ひいては、このような者による操作は誤操作が多く、返って状況を悪くする恐れもある。
【０００９】
本発明は、斯かる事情に鑑みてなされたものであり、その目的とするところは、一の機能に複数のパラメータが設定されている電気機器において、前記複数のパラメータに対して夫々異なる方式での調整指示を受け付ける複数の受付画面を表示することにより、例えば、使用者がメンテナンス能力が低く、当該装置に対する専門知識を有していない者であっても、自分の能力に応じた方式での調整指示を行い、該複数のパラメータを調整できる電気機器を提供することにある。
【課題を解決するための手段】
【００１０】
本発明に係る電気機器は、一の機能に複数のパラメータが設定されている電気機器において、前記複数のパラメータに対して夫々異なる方式での調整指示を受け付ける複数の受付画面を表示する表示部を備えることを特徴とする。
【００１１】
本発明にあっては、前記表示部に表示される複数の受付画面は、前記複数のパラメータに対して夫々異なる方式での調整指示を受け付けるので、使用者は何れかの受付画面を介して自分に適した方式の調整指示を行い、斯かるパラメータを調整することが出来る。
【００１２】
本発明に係る電気機器は、前記複数の受付画面は、前記複数のパラメータをパラメータ毎に調整する調整指示を受け付ける個別受付画面と、前記複数のパラメータをまとめて調整するまとめ調整指示を受け付けるまとめ受付画面とを含むことを特徴とする。
【００１３】
本発明にあっては、前記複数の受付画面には、例えば、前記個別受付画面及びまとめ受付画面が含まれており、使用者は、前記複数のパラメータに対して、パラメータ毎に調整を指示し、又はまとめて調整を指示することができる。
【００１４】
本発明に係る電気機器は、前記複数のパラメータの値の組み合せを、前記まとめ調整指示に対応付けて記憶する記憶部を備え、前記まとめ調整指示が受け付けられた場合、前記記憶部に記憶されている値の組み合せに基づき、前記複数のパラメータを調整するように構成されていることを特徴とする。
【００１５】
本発明にあっては、前記記憶部には、前記複数のパラメータの値の組み合せが前記まとめ調整指示に対応付けて記憶されており、前記まとめ受付画面を介して前記まとめ調整指示が受け付けられた場合、前記記憶部に記憶されている値の組み合せに基づき、前記複数のパラメータの調整が行なわれる。
【００１６】
本発明に係る電気機器は、使用者識別データを受け付ける受付手段を備え、前記表示部は、該受付手段が受け付けた使用者識別データに基づき、何れかの受付画面を表示するように構成されていることを特徴とする。
【００１７】
本発明にあっては、前記受付手段が使用者識別データを受け付けた場合、前記表示部は、該受付手段が受け付けた使用者識別データに基づき、個別受付画面又はまとめ受付画面を表示する。
【発明の効果】
【００１８】
本発明によれば、例えば、使用者がメンテナンス能力が低く、当該装置に対する専門知識を有していない者であっても、自分の能力に応じた方式での調整指示を行い、連動する複数のパラメータでも調整でき、使用者による誤操作が未然に防止できる。
【図面の簡単な説明】
【００１９】
【図１】本発明の実施の形態に係る複合機の要部構成を示す機能ブロック図である。
【図２】本発明の実施の形態に係る複合機において、表示部に表示される個別受付画面の一例を示す例示図である。
【図３】本発明の実施の形態に係る複合機において、表示部に表示されるまとめ受付画面の一例を示す例示図である。
【図４】本発明の実施の形態に係る複合機において、記憶部に記憶されたパラメータ値テーブルを概念的に説明する説明図である。
【図５】本発明の実施の形態に係る複合機において、まとめ調整指示又は個別調整指示を受け付け、連動する複数のパラメータを調整する場合を説明するフローチャートである。
【発明を実施するための形態】
【００２０】
最近の電子機器が有する機能は連動する複数のパラメータが設定されている場合が多く、斯かる機能を調整するためには、該機能に係る複数のパラメータを共に調整する必要がある。
【００２１】
例えば、複合機において、定着ローラ及び加圧ローラを用いて、これらの間の定着ニップ部を通過する記録用紙上の未定着トナー像を該記録用紙に定着させる定着機能は、定着温度に係るパラメータとして、該定着ローラ及び加圧ローラのヒータランプの温度が挙げられる。
【００２２】
より詳しくは、前記定着ローラは２箇所（中央部及び両端部）にヒータランプが設けられており、該加圧ローラは１箇所（中央部）にヒータランプが設けられており、定着という機能において、これら３つのヒータランプの温度は相互連動するパラメータである。
【００２３】
従って、定着温度の調整のためには、前記定着ローラ及び加圧ローラの３つのヒータランプを共に調整する必要があるが、斯かる調整は、使用される記録用紙の種類（例えば、普通紙、厚紙、ＯＨＰフィルム等）、記録用紙の大きさ（例えば、Ａ４、Ａ５、Ｂ４、Ｂ５等）、取り込み方向（例えば、長手方向又は短手方向）等によって異なるので、このように連動する複数のパラメータの調整は高いメンテナンス能力を要する場合が少なくない。本発明は、このような問題に対するものである。
【００２４】
以下に、本発明の実施の形態に係る電気機器を複合機１００に適用した場合を例として、図面に基づいて詳述する。以下においては、説明の便宜上、上述したように、定着機能における温度調整の場合を例として説明する。また、以下では、前記定着ローラにおいて、中央部のヒータランプを「ＴＨ‐ＵＭ」と言い、両端部のヒータランプを「ＴＨ‐ＵＳ１」と言い、前記加圧ローラの中央部のヒータランプを「ＴＨ‐ＬＭ１」と称する。
【００２５】
図１は本発明の実施の形態に係る複合機１００の要部構成を示す機能ブロック図である。複合機１００は、ＣＰＵ１（受付手段）と、ＲＯＭ２と、ＲＡＭ３と、記憶部４と、表示部５と、表示制御部６と、画像入力部７と、画像出力部８と、画像処理部９と、操作パネル１０とを備えている。
【００２６】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００２７】
ＣＰＵ１は、ＲＯＭ２に予め格納されている制御プログラムをＲＡＭ３上にロードして実行することによって、上述した各種ハードウェアの制御を行ない、装置全体を本発明に係る複合機１００として動作させる。  
【００２８】
表示制御部６は、ＤＳＰ（Digital Signal Processor）のようなプロセッサにより構成され、表示部５への画像表示を制御する。例えば、表示制御部６は、ＣＰＵ１の指示に応じて、使用者識別情報を受け付けるための識別情報受付画面を表示し、又は記憶部４に記憶された画像データを用いて、表示部５に後述する個別受付画面及びまとめ受付画面を表示する。
【００２９】
画像入力部７は、読み取り用の原稿に光を照射する光源、ＣＣＤ（Charge Coupled Device）のようなイメージセンサ等を有し、該原稿の画像データの光学的読み取りを行なう。また、画像入力部７では、所定の読取り位置に載置された原稿からの反射光像を当該イメージセンサに結像させ、ＲＧＢ（R : Red, G : Green, B : Blue）のアナログデータを出力する。
【００３０】
画像出力部８は、画像処理部９から出力される画像データに基づく画像を記録用紙、ＯＨＰフィルム等の記録媒体上に印刷する。画像出力部８は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器、該トナー像を該記録媒体に定着する定着ローラ等を備えている。
【００３１】
画像処理部９は、例えば、画像入力部７から入力されるアナログデータを基にデジタル形式の画像データを生成し、又は記憶部４に記憶されている画像データを読み出し、夫々の画像の種類に応じた処理を施した後、出力（印刷）すべき画像データを生成する。画像処理部９によって生成された出力用画像データは、画像出力部８に送られる。
【００３２】
また、操作パネル１０は、複合機１００における「ファックス」、「複写」、「印刷」、「メール」等の機能を切り替える機能ボタン、各パラメータの値の入力に用いられるテンキー、スタートキー、キャンセルキー、受け付けた指示を確定するためのエンターキー、画像入力部７を介して読み取った原稿の画像を記録用紙上に画像形成するための「出力」キー又は「コピー」キー等を備えている。
【００３３】
表示部５は、例えば、ＬＣＤ又はＥＬ（Electroluminescence）パネル等からなり、画像出力部８を介して、記録用紙へ出力（印刷）すべき画像が表示される。また、表示部５は、複合機１００の状態、ジョブ処理の状況、画像入力部７が読み取った原稿の画像及び操作パネル１０の操作内容の確認等、使用者に対して報知すべき情報を表示する。
【００３４】
また、表示部５は、所定機能のパラメータの調整にあたり、使用者からパラメータの調整指示を受け付ける受付画面が表示される。より詳しくは、使用者のメンテナンス能力によって、個別受付画面又はまとめ受付画面が表示される。
【００３５】
図２は本発明の実施の形態に係る複合機１００において、表示部５に表示される個別受付画面の一例を示す例示図であり、図３は本発明の実施の形態に係る複合機１００において、表示部５に表示されるまとめ受付画面の一例を示す例示図である。
【００３６】
個別受付画面は、所定の機能を調整する際において、該機能に係るパラメータが複数存在し、これら全てを調整する必要がある場合、斯かる複数のパラメータを個別に調整する指示（以下、個別調整指示という）を受け付けるための受付画面である。
【００３７】
図２に示す個別受付画面の例では、定着温度の調整においる「ＴＨ‐ＵＭ」、「ＴＨ‐ＵＳ１」及び「ＴＨ‐ＬＭ１」の個別調整指示について例示している。
例えば、普通紙系は、更に、カラー普通紙、白黒普通紙、カラー普通紙両面及び白黒普通紙両面の項目に分けられており、これらに対する、「ＴＨ‐ＵＭ」、「ＴＨ‐ＵＳ１」及び「ＴＨ‐ＬＭ１」の値を夫々使用者から受け付ける。すなわち、使用者は、操作パネル１０のテンキーを適宜操作して、各項目の「ＴＨ‐ＵＭ」、「ＴＨ‐ＵＳ１」及び「ＴＨ‐ＬＭ１」を入力し、各項目毎に個別調整指示を行なうことが出来る。
【００３８】
このような個別受付画面は、例えば、いわゆるサービスマンのように、メンテナンス能力が高く、当該装置に対する専門知識を有している場合に使用出来るように構成されている。
【００３９】
一方、まとめ受付画面は、上述したように、複数のパラメータを含む機能を調整する際において、該複数のパラメータの全てを調整する必要がある場合、斯かる複数のパラメータをまとめて調整する指示（以下、まとめ調整指示という）を受け付けるための受付画面である。
【００４０】
図３に示すまとめ受付画面の例では、定着温度の調整においる「ＴＨ‐ＵＭ」、「ＴＨ‐ＵＳ１」及び「ＴＨ‐ＬＭ１」のまとめ調整指示について例示しており、図２の場合と同様、普通紙系は、更に、カラー普通紙、白黒普通紙、カラー普通紙両面及び白黒普通紙両面の項目に分けられている。
【００４１】
しかし、図３に示すまとめ受付画面の例では、各項目に対する、「ＴＨ‐ＵＭ」、「ＴＨ‐ＵＳ１」及び「ＴＨ‐ＬＭ１」の値を個別に受け付け出来ない。図３に示すまとめ受付画面の例では、「高」、「中」、「低」のソフトキーが設けられており、これらソフトキーを介して、「ＴＨ‐ＵＭ」、「ＴＨ‐ＵＳ１」及び「ＴＨ‐ＬＭ１」の値をまとめて受け付けるように構成されている。
【００４２】
より詳しくは、後述する記憶部４のパラメータ値テーブルには、複数のパラメータ（「ＴＨ‐ＵＭ」、「ＴＨ‐ＵＳ１」及び「ＴＨ‐ＬＭ１」）の値の組み合せが、「高」、「中」及び「低」毎に記憶されており、前記まとめ受付画面を介して「高」、「中」、「低」のソフトキーの何れかの選択が受け付けられた場合、当該ソフトキーに対応する値の組み合せに基づき、各パラメータの調整指示をまとめて受け付けたものとみなされる。
【００４３】
すなわち、使用者は、操作パネル１０を適宜操作して「高」、「中」、「低」のソフトキーの何れかを選択することにより、各項目の「ＴＨ‐ＵＭ」、「ＴＨ‐ＵＳ１」及び「ＴＨ‐ＬＭ１」のまとめ調整指示を行なうことが出来る。
【００４４】
斯かるまとめ受付画面は、例えば、使用者が一般人、店主等である場合、又はサービスマンとは言え、メンテナンス能力が低く、装置に対する専門知識を有していない場合に使用出来るように構成されている。
【００４５】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００４６】
また、記憶部４には、前記個別受付画面及びまとめ受付画面を表示部５に表示するための画像データ、及び前記パラメータ値テーブルが記憶されている。該パラメータ値テーブルには、前記まとめ受付画面を介して受け付けできるまとめ調整指示毎に、当該指示に係る複数のパラメータの値の組み合せが記憶されており、前記まとめ受付画面を介してまとめ調整指示が受けられた場合、換言すれば、使用者が「高」、「中」、「低」のソフトキーの何れかを選択した場合、該まとめ調整指示（ソフトキー）に対応する値の組み合せに基づき、各パラメータの調整指示をまとめて受け付けたものとみなされる。
【００４７】
図４は本発明の実施の形態に係る複合機１００において、記憶部４に記憶されたパラメータ値テーブルを概念的に説明する説明図である。説明の便宜上、図３に示したまとめ受付画面の場合を例として説明する。
【００４８】
図４に示すパラメータ値テーブルの例では、図３に示したまとめ受付画面に表示された各項目における、「高」、「中」及び「低」のソフトキー毎に、「ＴＨ‐ＵＭ」、「ＴＨ‐ＵＳ１」及び「ＴＨ‐ＬＭ１」の値がいわゆるパッケージ化されて記憶されている。
【００４９】
従って、使用者が所定項目の「高」、「中」、「低」のソフトキーの何れかを選択した場合、前記パラメータ値テーブル中、当該項目の斯かるソフトキーに対応する値の組み合せに基づき、「ＴＨ‐ＵＭ」、「ＴＨ‐ＵＳ１」及び「ＴＨ‐ＬＭ１」の値のまとめ調整指示が受け付けられたものとみなされる。
【００５０】
図５は本発明の実施の形態に係る複合機１００において、まとめ調整指示又は個別調整指示を受け付け、連動する複数のパラメータを調整する場合を説明するフローチャートである。説明の便宜上、以下においては、図２〜図４に基づいて説明する。
【００５１】
例えば、使用者は、定着機能における定着温度の調整を望む場合、操作パネル１０を適宜操作して、斯かる調整のための受付画面の表示を指示する。斯かる際、ＣＰＵ１は操作パネル１０を介して受付画面の表示指示を受け付ける（ステップＳ１０１）。
【００５２】
このとき、ＣＰＵ１は、使用者識別情報を受け付けるための受付画面の表示を表示制御部６に指示し、表示制御部６は斯かる受付画面を表示部５に表示する。ここで、当該使用者識別情報は、メンテナンス能力が高く、当該装置に対する専門知識を有しているサービスマンにのみ付与されるものとする。
【００５３】
ＣＰＵ１は操作パネル１０を監視することにより、使用者識別情報を受け付けたか否かを判定する（ステップＳ１０２）。
【００５４】
例えば、斯かる使用者が前記使用者識別情報が付与されたサービスマンであり、該使用者が操作パネル１０を操作して使用者識別情報を入力した場合、ＣＰＵ１は使用者識別情報を受け付けたと判定し（ステップＳ１０２：ＹＥＳ）、表示制御部６に個別受付画面の表示を指示する。
【００５５】
表示制御部６は、ＣＰＵ１の指示に応じて、表示部５に、図２に示したような個別受付画面を表示する（ステップＳ１０３）。
【００５６】
使用者は、操作パネル１０のテンキーを適宜操作して、各項目における「ＴＨ‐ＵＭ」、「ＴＨ‐ＵＳ１」及び「ＴＨ‐ＬＭ１」を個別に入力する。この際、ＣＰＵ１は操作パネル１０を介して、各項目における各パラメータ（「ＴＨ‐ＵＭ」、「ＴＨ‐ＵＳ１」及び「ＴＨ‐ＬＭ１」）に対する個別調整指示を受け付ける（ステップＳ１０４）。
【００５７】
以降、ＣＰＵ１は受け付けた個別調整指示に基づき、夫々のパラメータ（「ＴＨ‐ＵＭ」、「ＴＨ‐ＵＳ１」及び「ＴＨ‐ＬＭ１」）を調整する（ステップＳ１０５）。
【００５８】
一方、当該使用者が前記使用者識別情報を有しておらず、該使用者識別情報の入力ができない場合、例えば、所定時間使用者識別情報の入力がなかった場合、ＣＰＵ１は使用者識別情報を受け付けていないと判定し（ステップＳ１０２：ＮＯ）、表示制御部６にまとめ受付画面の表示を指示する。
【００５９】
表示制御部６は、ＣＰＵ１の指示に応じて、表示部５に、図３に示したようなまとめ受付画面を表示する（ステップＳ１０６）。
【００６０】
この際、使用者は、操作パネル１０を適宜操作して、項目毎に「高」、「中」、「低」のソフトキーの何れかを選択することにより、各項目の「ＴＨ‐ＵＭ」、「ＴＨ‐ＵＳ１」及び「ＴＨ‐ＬＭ１」のまとめ調整指示を行なう。
【００６１】
これによって、ＣＰＵ１は、各項目において選択されたソフトキーに対応する各パラメータ（「ＴＨ‐ＵＭ」、「ＴＨ‐ＵＳ１」及び「ＴＨ‐ＬＭ１」）のまとめ調整指示を受け付ける（ステップＳ１０７）。換言すれば、ＣＰＵ１は、前記パラメータ値テーブルにおいて、選択されたソフトキーに対応する値の組み合せに従って、「ＴＨ‐ＵＭ」、「ＴＨ‐ＵＳ１」及び「ＴＨ‐ＬＭ１」をまとめて調整する指示として受け付ける。
【００６２】
次いで、ＣＰＵ１は、表示部５のパラメータ値テーブルから、各項目において使用者から選択されたソフトキー（まとめ調整指示）に対応する「ＴＨ‐ＵＭ」、「ＴＨ‐ＵＳ１」及び「ＴＨ‐ＬＭ１」の値の組み合せを読み込み（ステップＳ１０８）、ＲＡＭ３に記憶する。以降、処理はステップＳ１０５に進む。
【００６３】
本発明の実施の形態に係る複合機１００は、以上のような構成を有するので、メンテナンス能力が低く、当該装置に対する専門知識を有していない者による誤操作を未然に防止できる。
【００６４】
また、メンテナンス能力が低く、当該装置に対する専門知識を有していない者には、より簡単に、相互連動する複数のパラメータを調整できる環境を提供する。また、メンテナンス能力が高く、当該装置に対する専門知識を有している者に対しては、相互連動する複数のパラメータを詳細でかつ的確に調整できる環境を担保出来る。
【００６５】
以上の記載においては、連動する複数のパラメータに対して異なる方式での調整指示を受け付ける複数の受付画面として、前記まとめ受付画面及び個別受付画面の２つの例をあげて説明したが、これに限るものでなく、斯かる受付画面が３つ以上であるように構成しても良い。
【符号の説明】
【００６６】
１００  複合機
１  ＣＰＵ
４  記憶部
５  表示部
【図１】
2013186571.tif 000003
【図２】
2013186571.tif 000004
【図３】
2013186571.tif 000005
【図４】
2013186571.tif 000006
【図５】
2013186571.tif 000007